(57)【要約】  セル再選択制御方法は、第１周波数に属するセルを管理するｅＮＢ２００が、アイドルモードにおいてセルをサービングセルとして選択しているＵＥ１００に対して、第１周波数に属する他セルにＵＥ１００を再配分するためのイントラ周波数再配分パラメータと、第１周波数とは異なる第２周波数にＵＥ１００を再配分するためのインター周波数再配分パラメータとを送信することと、ＵＥ１００が、イントラ周波数再配分パラメータ及びインター周波数再配分パラメータを受信することと、ＵＥ１００が、イントラ周波数再配分パラメータ及びインター周波数再配分パラメータの少なくとも一方を用いて、セル再選択の最高優先度を付与する周波数又はセルである再配分ターゲットを選択することと、を備える。
2019102964.tif 000002
【特許請求の範囲】
【請求項１】
移動通信システムにおいて用いられるセル再選択制御方法であって、
第１周波数に属するセルを管理する基地局が、アイドルモードにおいて前記セルをサービングセルとして選択している無線端末に対して、前記第１周波数に属する他セルに前記無線端末を再配分するためのイントラ周波数再配分パラメータと、前記第１周波数とは異なる第２周波数に前記無線端末を再配分するためのインター周波数再配分パラメータとを送信することと、
前記無線端末が、前記イントラ周波数再配分パラメータ及び前記インター周波数再配分パラメータを受信することと、
前記無線端末が、前記イントラ周波数再配分パラメータ及び前記インター周波数再配分パラメータの少なくとも一方を用いて、セル再選択の最高優先度を付与する周波数又はセルである再配分ターゲットを選択することと、を備える、セル再選択制御方法。
【請求項２】
前記再配分ターゲットを選択することは、前記イントラ周波数再配分パラメータよりも前記インター周波数再配分パラメータを優先的に用いて前記再配分ターゲットを選択することを含む、請求項１に記載のセル再選択制御方法。
【請求項３】
前記再配分ターゲットを選択することは、
前記インター周波数再配分パラメータを用いて前記再配分ターゲットを選択するインター周波数再配分手順を実行することと、
前記インター周波数再配分手順が失敗に終わった場合に限り、前記イントラ周波数再配分パラメータを用いて前記再配分ターゲットを選択するイントラ周波数再配分手順を実行することと、を含む、請求項２に記載のセル再選択制御方法。
【請求項４】
前記基地局が、前記イントラ周波数再配分パラメータを用いて前記再配分ターゲットを選択することが許可されている旨の通知を前記無線端末に送信することと、
前記無線端末が、前記通知を受信した場合に限り、前記イントラ周波数再配分パラメータを用いた前記再配分ターゲットの選択を有効化することと、をさらに備える、請求項１に記載のセル再選択制御方法。
【請求項５】
前記無線端末は、繰り返し送信を含む強化カバレッジ機能によって拡張されたカバレッジに位置しており、
前記イントラ周波数再配分パラメータは、前記強化カバレッジ機能によって拡張されたカバレッジに位置する前記無線端末に適用される、請求項１に記載のセル再選択制御方法。
【請求項６】
移動通信システムにおいて用いられる基地局であって、
第１周波数に属するセルを管理する制御部と、
アイドルモードにおいて前記セルをサービングセルとして選択している無線端末に対して、イントラ周波数再配分パラメータ及びインター周波数再配分パラメータを送信する送信部と、を備え、
前記イントラ周波数再配分パラメータは、前記第１周波数に属する他セルに前記無線端末を再配分するためのパラメータであり、
前記インター周波数再配分パラメータは、前記第１周波数とは異なる第２周波数に前記無線端末を再配分するためのパラメータである、基地局。
【請求項７】
移動通信システムにおいて用いられる無線端末であって、
前記無線端末がアイドルモードにおいて、第１周波数に属するセルをサービングセルとして選択している場合において、イントラ周波数再配分パラメータ及びインター周波数再配分パラメータを、前記セルを管理する基地局から受信する受信部と、
前記イントラ周波数再配分パラメータ及び前記インター周波数再配分パラメータの少なくとも一方を用いて、セル再選択の最高優先度を付与する周波数又はセルである再配分ターゲットを選択する制御部と、を備え、
前記イントラ周波数再配分パラメータは、前記第１周波数に属する他セルに前記無線端末を再配分するためのパラメータであり、
前記インター周波数再配分パラメータは、前記第１周波数とは異なる第２周波数に前記無線端末を再配分するためのパラメータである、無線端末。
【発明の詳細な説明】
【技術分野】
【０００１】
本発明は、移動通信システムにおけるセル再選択制御方法、基地局、及び無線端末に関する。
【背景技術】
【０００２】
近年、人が介在することなく通信を行うＭＴＣ（Ｍａｃｈｉｎｅ  Ｔｙｐｅ  Ｃｏｍｍｕｎｉｃａｔｉｏｎ）及びＩｏＴ（Ｉｎｔｅｒｎｅｔ  ｏｆ  Ｔｈｉｎｇｓ）サービスを対象とした無線端末が注目されている。このような無線端末は、低コスト化、カバレッジ拡張、及び低消費電力化を実現することが求められる。このため、３ＧＰＰ（３ｒｄ  Ｇｅｎｅｒａｔｉｏｎ  Ｐａｒｔｎｅｒｓｈｉｐ  Ｐｒｏｊｅｃｔ）において、システム送受信帯域の一部のみに送受信帯域幅を制限した新たな無線端末のカテゴリが仕様化されている。このような新たなカテゴリの無線端末には、繰り返し送信（ｒｅｐｅｔｉｔｉｏｎ）等を含む強化カバレッジ（ｅｎｈａｎｃｅｄ  ｃｏｖｅｒａｇｅ）機能が適用される。
【発明の概要】
【０００３】
一実施形態に係るセル再選択制御方法は、移動通信システムにおいて用いられる。前記セル再選択制御方法は、第１周波数に属するセルを管理する基地局が、アイドルモードにおいて前記セルをサービングセルとして選択している無線端末に対して、前記第１周波数に属する他セルに前記無線端末を再配分するためのイントラ周波数再配分パラメータと、前記第１周波数とは異なる第２周波数に前記無線端末を再配分するためのインター周波数再配分パラメータとを送信することと、前記無線端末が、前記イントラ周波数再配分パラメータ及び前記インター周波数再配分パラメータを受信することと、前記無線端末が、前記イントラ周波数再配分パラメータ及び前記インター周波数再配分パラメータの少なくとも一方を用いて、セル再選択の最高優先度を付与する周波数又はセルである再配分ターゲットを選択することと、を備える。
【０００４】
一実施形態に係る基地局は、移動通信システムにおいて用いられる。前記基地局は、第１周波数に属するセルを管理する制御部と、アイドルモードにおいて前記セルをサービングセルとして選択している無線端末に対して、イントラ周波数再配分パラメータ及びインター周波数再配分パラメータを送信する送信部と、を備える。前記イントラ周波数再配分パラメータは、前記第１周波数に属する他セルに前記無線端末を再配分するためのパラメータである。前記インター周波数再配分パラメータは、前記第１周波数とは異なる第２周波数に前記無線端末を再配分するためのパラメータである。
【０００５】
一実施形態に係る無線端末は、移動通信システムにおいて用いられる。前記無線端末は、前記無線端末がアイドルモードにおいて、第１周波数に属するセルをサービングセルとして選択している場合において、イントラ周波数再配分パラメータ及びインター周波数再配分パラメータを、前記セルを管理する基地局から受信する受信部と、前記イントラ周波数再配分パラメータ及び前記インター周波数再配分パラメータの少なくとも一方を用いて、セル再選択の最高優先度を付与する周波数又はセルである再配分ターゲットを選択する制御部と、を備える。前記イントラ周波数再配分パラメータは、前記第１周波数に属する他セルに前記無線端末を再配分するためのパラメータである。前記インター周波数再配分パラメータは、前記第１周波数とは異なる第２周波数に前記無線端末を再配分するためのパラメータである。
【図面の簡単な説明】
【０００６】
【図１】実施形態に係るＬＴＥシステム（移動通信システム）の構成を示す図である。
【図２】実施形態に係るＵＥ（無線端末）の構成を示す図である。
【図３】実施形態に係るｅＮＢ（基地局）の構成を示す図である。
【図４】実施形態に係るＬＴＥシステムにおける無線インターフェイスのプロトコルスタックを示す図である。
【図５】実施形態に係るＬＴＥシステムの無線フレームの構成を示す図である。
【図６】ｅＭＴＣ  ＵＥ及びＮＢ−ＩｏＴ  ＵＥが取り扱う周波数チャネルを示す図である。
【図７】実施形態に係るセル再選択制御方法の適用シーンを示す図である。
【図８】第１実施形態に係るｅＮＢの動作を示す図である。
【図９】第１実施形態に係る第２再配分パラメータの構成例を示す図である。
【図１０】第１実施形態に係る第２カバレッジに居るＵＥの動作を示す図である。
【図１１】第１実施形態の第１変更例に係るＵＥの動作を示す図である。
【図１２】インター周波数再配分パラメータ（ＲｅｄｉｓｔｒｉｂｕｔｉｏｎＩｎｔｅｒＦｒｅｑＩｎｆｏ）を示す図である。
【図１３】第１実施形態の第２変更例に係るＵＥの動作を示す図である。
【図１４】第２実施形態に係るアイドルモードのＵＥの動作例を示す図である。
【図１５】第３実施形態に係る動作の一例を示す図である。
【発明を実施するための形態】
【０００７】
［第１実施形態］
（第１実施形態の概要）
アイドルモードの複数の無線端末がセル再選択によって再選択するセル及び／又は周波数を分散させるための再配分（ｒｅｄｉｓｔｒｉｂｕｔｉｏｎ）機能が知られている。具体的には、基地局は、再配分機能に用いる再配分パラメータをブロードキャストシグナリングによって送信する。アイドルモードの無線端末は、再配分パラメータを取得し、取得した再配分パラメータに基づいてセル再選択を行う。
【０００８】
このような再配分機能は、強化カバレッジ機能によって拡張されていないカバレッジ（第１カバレッジ）に居る無線端末に適用されることが想定されている。しかしながら、強化カバレッジ機能は、繰り返し送信等に起因してセルの負荷を高めるため、強化カバレッジ機能によって拡張されたカバレッジ（第２カバレッジ）に居る無線端末に対しても再配分機能を適用可能とすることが望まれる。
【０００９】
そこで、第１実施形態は、強化カバレッジ機能によって拡張されたカバレッジに居るアイドルモードの無線端末をセル再選択によって複数のセル及び／又は周波数に適切に分散させることを可能とするセル再選択制御を提供する。
【００１０】
第１実施形態に係るセル再選択制御は、移動通信システムにおける方法である。前記セル再選択制御方法は、基地局が、再配分機能に用いる再配分パラメータとして、第１カバレッジに居る無線端末に適用する第１再配分パラメータと、前記第１カバレッジの外側の第２カバレッジに居る無線端末に適用する第２再配分パラメータとをブロードキャストシグナリングによって送信するステップＡと、前記第２カバレッジに居るアイドルモードの無線端末が、前記ステップＡで送信された前記第２再配分パラメータを取得するステップＢと、当該無線端末が、前記ステップＢで取得した前記第２再配分パラメータを用いてセル再選択を行うステップＣとを備える。前記再配分機能は、アイドルモードの複数の無線端末がセル再選択によって再選択するセル及び／又は周波数を分散させる機能である。前記第２カバレッジは、繰り返し送信を含む強化カバレッジ機能によって拡張されたカバレッジである。
【００１１】
このようなセル再選択制御方法によれば、強化カバレッジ機能によって拡張されたカバレッジ（第２カバレッジ）に居る無線端末に対しても再配分機能を適用することができる。また、第１カバレッジに居る無線端末と第２カバレッジに居る無線端末とに個別の再配分パラメータを適用することができるため、第２カバレッジに居る無線端末がセル再選択によって再選択するセル及び／又は周波数を適切に分散させることができる。
【００１２】
（移動通信システム）
第１実施形態に係る移動通信システムの構成について説明する。図１は、第１実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ規格に基づく移動通信システムである。
【００１３】
ＬＴＥシステムは、無線端末（ＵＥ：Ｕｓｅｒ  Ｅｑｕｉｐｍｅｎｔ）１００、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びコアネットワーク（ＥＰＣ：Ｅｖｏｌｖｅｄ  Ｐａｃｋｅｔ  Ｃｏｒｅ）２０を備える。
【００１４】
ＵＥ１００は、移動型の通信装置である。ＵＥ１００は、自身が在圏するセル（サービングセル）を管理するｅＮＢ２００との無線通信を行う。
【００１５】
Ｅ−ＵＴＲＡＮ１０は、基地局（ｅＮＢ：ｅｖｏｌｖｅｄ  Ｎｏｄｅ−Ｂ）２００を含む。ｅＮＢ２００は、Ｘ２インターフェイスを介して相互に接続される。ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１６】
ＥＰＣ２０は、モビリティ管理エンティティ（ＭＭＥ）及びサービングゲートウェイ（Ｓ−ＧＷ）３００を含む。ＭＭＥは、ＵＥ１００に対する各種モビリティ制御等を行う。ＭＭＥは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。トラッキングエリアは、複数のセルからなるエリアである。Ｓ−ＧＷは、データの転送制御を行う。ＭＭＥ及びＳ−ＧＷは、Ｓ１インターフェイスを介してｅＮＢ２００と接続される。
【００１７】
図２は、ＵＥ１００（無線端末）の構成を示す図である。ＵＥ１００は、受信部１１０、送信部１２０、及び制御部１３０を備える。
【００１８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２０】
制御部１３０は、ＵＥ１００における各種の制御を行う。制御部１３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２１】
図３は、ｅＮＢ２００（基地局）の構成を示す図である。ｅＮＢ２００は、送信部２１０、受信部２２０、制御部２３０、及びバックホール通信部２４０を備える。
【００２２】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２３】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２４】
制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２５】
バックホール通信部２４０は、Ｘ２インターフェイスを介して隣接ｅＮＢと接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２６】
図４は、ＬＴＥシステムにおける無線インターフェイスのプロトコルスタックの構成を示す図である。図４に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。ＰＨＹレイヤ、ＭＡＣレイヤ、ＲＬＣレイヤ、ＰＤＣＰレイヤ、及びＲＲＣレイヤは、ＡＳ（Ａｃｃｅｓｓ  Ｓｔｒａｔｕｍ）レイヤを構成する。
【００２７】
ＰＨＹレイヤは、符号化・復号、変調・復調、アンテナマッピング・デマッピング、及びリソースマッピング・デマッピングを行う。ＵＥ１００のＰＨＹレイヤとｅＮＢ２００のＰＨＹレイヤとの間では、物理チャネルを介してデータ及び制御情報が伝送される。
【００２８】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｅＮＢ２００のＭＡＣレイヤとの間では、トランスポートチャネルを介してデータ及び制御情報が伝送される。ｅＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２９】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御情報が伝送される。
【００３０】
ＰＤＣＰレイヤは、ヘッダ圧縮・伸張、及び暗号化・復号化を行う。
【００３１】
ＲＲＣレイヤは、制御情報を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００３２】
ＲＲＣレイヤの上位に位置するＮＡＳレイヤは、セッション管理及びモビリティ管理等を行う。ＵＥ１００のＮＡＳレイヤとＭＭＥ３００ＣのＮＡＳレイヤとの間では、ＮＡＳシグナリングが伝送される。ＵＥ１００は、無線インターフェイスのプロトコル以外にアプリケーションレイヤ等の機能を有する。
【００３３】
図５は、ＬＴＥシステムにおいて用いられる無線フレームの構成を示す図である。無線フレームは、時間軸上で１０個のサブフレームで構成される。各サブフレームは、時間軸上で２個のスロットで構成される。各サブフレームの長さは１ｍｓである。各スロットの長さは０．５ｍｓである。各サブフレームは、周波数軸上で複数個のリソースブロック（ＲＢ）を含む。各サブフレームは、時間軸上で複数個のシンボルを含む。各リソースブロックは、周波数軸上で複数個のサブキャリアを含む。具体的には、１２個のサブキャリア及び１つのスロットにより１つのＲＢが構成される。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００３４】
下りリンクにおいて、各サブフレームの先頭数シンボルの区間は、主に下りリンク制御情報を伝送するための物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として用いられる領域である。各サブフレームの残りの部分は、主に下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として用いることができる領域である。
【００３５】
上りリンクにおいて、各サブフレームにおける周波数方向の両端部は、主に上りリンク制御情報を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として用いられる領域である。各サブフレームにおける残りの部分は、主に上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として用いることができる領域である。
【００３６】
（セル再選択の概要）
セル再選択動作の概要について説明する。アイドルモード（ＲＲＣアイドルモード）のＵＥ１００は、開始条件が満たされた場合に、現在のサービングセルに隣接する隣接セルの品質を測定し、選択条件を満たすセルの中からサービングセルとして用いるセルを選択する。
【００３７】
第１に、開始条件は、以下に示す通りである。
【００３８】
（Ａ１）現在のサービングセルの周波数の優先度よりも高い優先度を有する周波数：
ＵＥ１００は、高い優先度を有する周波数の品質を常に測定する。
【００３９】
（Ａ２）現在のサービングセルの周波数の優先度と等しい優先度又は低い優先度を有する周波数：
ＵＥ１００は、現在のサービングセルの品質が所定閾値を下回った場合に、等しい優先度又は低い優先度を有する周波数の品質を測定する。
【００４０】
第２に、選択条件は、以下に示す通りである。
【００４１】
（Ｂ１）隣接セルの周波数の優先度が現在のサービングセルの優先度よりも高い：
ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを選択する。このようなケースにおいて、隣接セルが満たすべき基準を“Ｓ−ｃｒｉｔｅｒｉａ”と称することもある。
【００４２】
Ｓｑｕａｌは、セル選択品質レベルを表している。Ｓｑｕａｌは、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）である。Ｑｑｕａｌｍｉｎは、最小要求品質レベルである。Ｑｑｕａｌｍｉｎｏｆｆｓｅｔは、隣接セルに定常的に適用される所定オフセットである。Ｑｏｆｆｓｅｔｔｅｍｐは、隣接セルに一時的に適用されるオフセットである。ＴｈｒｅｓｈＸ，ＨｉｇｈＱは、所定閾値である。
【００４３】
Ｓｒｘｌｅｖは、セル選択受信電力を表している。Ｓｒｘｌｅｖは、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信電力（ＲＳＲＰ）である。Ｑｒｘｌｅｖｍｉｎは、最小要求受信電力である。Ｑｒｘｌｅｖｍｉｎｏｆｆｓｅｔは、隣接セルに定常的に適用される所定オフセットである。Ｐｃｏｍｐｅｎｓａｔｉｏｎは、アップリンクの能力に関するパラメータである。Ｑｏｆｆｓｅｔｔｅｍｐは、隣接セルに一時的に適用されるオフセットである。ＴｈｒｅｓｈＸ，ＨｉｇｈＰは、所定閾値である。
【００４４】
（Ｂ２）隣接セルの周波数の優先度が現在のサービングセルの優先度と同じである：
ＵＥ１００は、現在のサービングセルのランキングＲｓ及び隣接セルのランキングＲｎを算出する。ＵＥ１００は、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【００４５】
Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信電力（ＲＳＲＰ）である。Ｑｍｅａｓ，ｎは、隣接セルの受信電力（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【００４６】
（Ｂ３）隣接セルの周波数の優先度が現在のサービングセルの優先度よりも低い：
ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００４７】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００４８】
対象セルの選択で用いる各種パラメータは、ｅＮＢ２００からブロードキャストされる情報（ＳＩＢ：Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００４９】
（再配分機能の概要）
第１実施形態に係るＬＴＥシステムは、再配分（ｒｅｄｉｓｔｒｉｂｕｔｉｏｎ）機能を有する。再配分機能は、アイドルモードの複数のＵＥがセル再選択によって再選択するセル及び／又は周波数を分散させる機能である。具体的には、再配分機能において、ＵＥ１００は、ｅＮＢ２００からブロードキャストシグナリング（例えば、ＳＩＢ）によって送信される再配分パラメータに基づいて再配分ターゲット（周波数又はセル）を選択する。例えば、ＵＥ１００は、再配分ターゲットに対して別周波数（ｉｎｔｅｒ−ｆｒｅｑｕｅｎｃｙ）のセル再選択を行う。
【００５０】
ＵＥ１００は、再配分ターゲット（周波数又はセル）に再配分され、一定期間（すなわち、有効タイマ）の間、再配分された再配分ターゲットが最も高い優先度（すなわち、任意のネットワーク設定の優先度よりも高い）を有するとみなす。ネットワーク設定の優先度とは、例えば、ＳＩＢに含まれる周波数優先度（ｃｅｌｌＲｅｓｅｌｅｃｔｉｏｎＰｒｉｏｒｉｔｙ）である。このような再配分は、ページングによってトリガされ得る。一定期間（有効タイマ）は、Ｔ３６０と称される。再配分がページングによってトリガされない場合、ＵＥ１００は、周期的に（すなわち、Ｔ３６０が満了する度に）、再配分動作を行う。
【００５１】
再配分機能によれば、アイドルモードの複数のＵＥ１００が特定のセル又は特定の周波数に集中している状況下において、当該複数のＵＥ１００を（別の周波数の）別のセルに再配分することができる。よって、特定のセル又は特定の周波数に負荷が集中することを回避することができる。
【００５２】
（ｅＭＴＣ及びＮＢ−ＩｏＴの概要）
ｅＭＴＣ及びＮＢ−ＩｏＴの概要について説明する。第１実施形態において、ＭＴＣ及びＩｏＴサービスを対象とした新たなカテゴリのＵＥ１００が存在するシナリオを想定する。新たなカテゴリのＵＥ１００は、システム送受信帯域（ＬＴＥ送受信帯域幅）の一部のみに送受信帯域幅が制限されるＵＥ１００である。新たなＵＥカテゴリは、例えば、カテゴリＭ１及びカテゴリＮＢ（Ｎａｒｒｏｗ  Ｂａｎｄ）−ＩｏＴと称される。カテゴリＭ１は、ｅＭＴＣ（ｅｎｈａｎｃｅｄ  Ｍａｃｈｉｎｅ  Ｔｙｐｅ  Ｃｏｍｍｕｎｉｃａｔｉｏｎｓ）ＵＥが属するカテゴリである。カテゴリＮＢ−ＩｏＴ（カテゴリＮＢ１）は、ＮＢ−ＩｏＴ  ＵＥが属するカテゴリである。カテゴリＭ１は、ＵＥ１００（ｅＭＴＣ  ＵＥ）の送受信帯域幅を例えば１．０８ＭＨｚ（すなわち、６リソースブロックの帯域幅）に制限する。カテゴリＮＢ−ＩｏＴ（カテゴリＮＢ１）は、ＵＥ１００（ＮＢ−ＩｏＴ  ＵＥ）の送受信帯域幅を１８０ｋＨｚ（すなわち、１リソースブロックの帯域幅）にさらに制限する。このような狭帯域化により、ｅＭＴＣ  ＵＥ及びＮＢ−ＩｏＴ  ＵＥに要求される低コスト化及び低消費電力化が実現可能となる。
【００５３】
図６は、ｅＭＴＣ  ＵＥ及びＮＢ−ＩｏＴ  ＵＥが取り扱う周波数チャネルを示す図である。図６に示すように、ＬＴＥシステムのシステム周波数帯域の周波数帯域幅は１０ＭＨｚであり得る。システム送受信帯域の帯域幅は、例えば、５０リソースブロック＝９ＭＨｚである。ｅＭＴＣ  ＵＥが対応可能な周波数チャネルの帯域幅は、６リソースブロック＝１．０８ＭＨｚ以内である。ｅＭＴＣ  ＵＥが対応可能な６リソースブロック以内の周波数チャネルは、「狭帯域（ＮＢ：Ｎａｒｒｏｗ  Ｂａｎｄ）」と称される。ＮＢ−ＩｏＴ  ＵＥが対応可能な周波数チャネルの帯域幅は、１リソースブロック＝１８０ｋＨｚである。ＮＢ−ＩｏＴ  ＵＥが対応可能な１リソースブロックの周波数チャネルは、「キャリア（ｃａｒｒｉｅｒ）」と称される。
【００５４】
ｅＭＴＣ  ＵＥは、ＬＴＥ送受信帯域幅内で運用される。ＮＢ−ＩｏＴ  ＵＥは、ＬＴＥ送受信帯域幅内で運用される形態、ＬＴＥ送受信帯域幅外のガードバンドで運用される形態、及びＮＢ−ＩｏＴ専用の周波数帯域内で運用される形態をサポートする。
【００５５】
ｅＭＴＣ  ＵＥ及びＮＢ−ＩｏＴ  ＵＥは、カバレッジ拡張を実現するために、繰り返し送信等を用いた強化カバレッジ（ＥＣ：Ｅｎｈａｎｃｅｄ  Ｃｏｖｅｒａｇｅ）機能をサポートする。強化カバレッジ機能は、複数のサブフレームを用いて同一信号を繰り返し送信する繰り返し送信（ｒｅｐｅｔｉｔｉｏｎ）を含んでもよい。繰り返し送信の回数が多いほど、カバレッジを拡張することができる。強化カバレッジ機能は、送信信号の電力密度を上げる電力ブースト（ｐｏｗｅｒ  ｂｏｏｓｔｉｎｇ）を含んでもよい。一例として、送信信号の周波数帯域幅を狭くする狭帯域送信により電力密度を上げる。送信信号の電力密度を上げるほど、カバレッジを拡張することができる。強化カバレッジ機能は、送信信号に用いるＭＣＳを下げる低ＭＣＳ（ｌｏｗｅｒ  ＭＣＳ）送信を含んでもよい。データレートが低く、誤り耐性の高いＭＣＳを用いて送信を行うことにより、カバレッジを拡張することができる。
【００５６】
ＲＲＣアイドルモードのｅＭＴＣ  ＵＥ及びＮＢ−ＩｏＴ  ＵＥは、通常のカバレッジのための第１セル選択基準（第１Ｓ−ｃｒｉｔｅｒｉａ）が満たされず、強化カバレッジのための第２セル選択基準（第２Ｓ−ｃｒｉｔｅｒｉａ）が満たされた場合、自身が強化カバレッジに居ると判定してもよい。「強化カバレッジに居るＵＥ」とは、セルにアクセスするために強化カバレッジ機能（強化カバレッジモード）を用いることが必要とされるＵＥを意味してもよい。
【００５７】
強化カバレッジ機能は、カバレッジを拡張する度合いが異なる複数の強化カバレッジレベルを有してもよい。ｅＭＴＣ  ＵＥ及びＮＢ−ＩｏＴ  ＵＥは、ＲＳＲＰ（Ｒｅｆｅｒｅｎｃｅ  Ｓｉｇｎａｌ  Ｒｅｃｅｉｖｅｄ  Ｐｏｗｅｒ）を測定し、測定したＲＳＲＰを強化カバレッジレベルごとのＲＳＲＰ閾値と比較することにより、自身の強化カバレッジレベルを決定する。強化カバレッジレベルは、少なくとも繰り返し送信における送信回数（すなわち、Ｒｅｐｅｔｉｔｉｏｎ回数）と関連する。
【００５８】
強化カバレッジに居るＵＥは、上述したセル再選択における周波数の優先度に拘わらず、受信電力（ＲＳＲＰ）に基づくランキングによってセル再選択を行う。例えば、ＵＥは、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。
【００５９】
（セル再選択制御方法）
第１実施形態に係るセル再選択制御方法について説明する。
【００６０】
図７は、第１実施形態に係るセル再選択制御方法の適用シーンを示す図である。
【００６１】
図７に示すように、ｅＮＢ２００が管理するセルは、第１カバレッジと、第１カバレッジの外側の第２カバレッジとを含む。第１カバレッジは、強化カバレッジ機能によって拡張されていないカバレッジ（すなわち、通常のカバレッジ）である。第２カバレッジは、強化カバレッジ機能によって拡張されたカバレッジ（すなわち、強化カバレッジ）である。第１実施形態において、第２カバレッジに居るＵＥ１００がｅＭＴＣ  ＵＥである一例を説明する。但し、第２カバレッジに居るＵＥ１００は、ＮＢ−ＩｏＴ  ＵＥであってもよい。
【００６２】
図８は、第１実施形態に係るｅＮＢ２００の動作を示す図である。
【００６３】
図８に示すように、ステップＳ１１において、ｅＮＢ２００は、再配分機能に用いる再配分パラメータとして、第１カバレッジに居るＵＥに適用する第１再配分パラメータをブロードキャストシグナリング（例えば、ＳＩＢ）によって送信する。
【００６４】
第１再配分パラメータは、例えば、セルごとの確率を示すパラメータ（ｒｅｄｉｓｔｒｉｂｕｔｉｏｎＦａｃｔｏｒＣｅｌｌ）又は周波数ごとの確率を示すパラメータ（ｒｅｄｉｓｔｒｉｂｕｔｉｏｎＦａｃｔｏｒＦｒｅｑ）を含む。第１カバレッジに居るＵＥは、第１再配分パラメータを取得し、第１再配分パラメータを用いてセル再選択を行う。具体的には、第１カバレッジに居るＵＥは、自ＵＥの識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）とセル又は周波数ごとの確率を示すパラメータとに基づいて、再配分ターゲット（周波数又はセル）を選択する。このような動作の詳細については、例えば３ＧＰＰ仕様書「ＴＳ３６．３０４  Ｖ１３．３．０  （２０１６−０９）」の５．２．４．１０章及び５．２．４．１０．１章を参照されたい。ｅＮＢ２００は、第１再配分パラメータを、ＳＩＢタイプ３及びＳＩＢタイプ５によって送信する。
【００６５】
ステップＳ１２において、ｅＮＢ２００は、再配分機能に用いる再配分パラメータとして、第２カバレッジに居るＵＥに適用する第２再配分パラメータをブロードキャストシグナリングによって送信する。ステップＳ１２は、ステップＳ１１と同時に行われてもよい。
【００６６】
第２再配分パラメータに含まれる各パラメータの種類は、第１再配分パラメータに含まれる各パラメータの種類と同じであってもよい。第２再配分パラメータに含まれるパラメータの値は、第１再配分パラメータに含まれるパラメータの値と異なる値に設定することができる。ｅＮＢ２００は、第２再配分パラメータを、ＳＩＢタイプ３及びＳＩＢタイプ５によって送信してもよい。一例として、第２再配分パラメータは、ＳＩＢタイプ３及びＳＩＢタイプ５において、第１再配分パラメータとは異なる情報要素（ＩＥ）として設けられる。或いは、第２再配分パラメータは、ＳＩＢタイプ３及びＳＩＢタイプ５とは異なるＳＩＢに設けられてもよい。ｅＮＢ２００は、第２再配分パラメータを含むＳＩＢの送信に、繰り返し送信を含む強化カバレッジ機能を適用する。
【００６７】
ｅＮＢ２００は、第２再配分パラメータを、強化カバレッジレベルごとに個別に送信してもよい。例えば、図９に示すように、第２再配分パラメータを含むＳＩＢにおいて、強化カバレッジレベルごとの第２再配分パラメータのリストが設けられてもよい。図９に示す例において、強化カバレッジレベル＃０〜＃３に第２再配分パラメータ＃０〜＃３がそれぞれ対応付けられている。なお、強化カバレッジレベルが高いほど、繰り返し送信の回数が多くなり、カバレッジを拡張する度合いが大きくなる。よって、強化カバレッジレベルが高いほど、セル（ｅＮＢ２００）の負荷が高くなる。よって、強化カバレッジレベルごとに個別の第２再配分パラメータを規定することによって、セル（ｅＮＢ２００）の負荷分散をきめ細かく行うことが可能となる。
【００６８】
図１０は、第１実施形態に係る第２カバレッジに居るＵＥ１００の動作を示す図である。
【００６９】
図１０に示すように、ステップＳ２１において、ＵＥ１００は、第２再配分パラメータを受信していない状態において、ｅＮＢ２００が指定する優先度に拘わらず、受信電力（ＲＳＲＰ）に基づくランキングによってセル再選択を行う。例えば、ＵＥは、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。
【００７０】
ステップＳ２２において、ＵＥ１００は、第２再配分パラメータを含むＳＩＢを受信し、ＳＩＢに含まれる第２再配分パラメータを取得する。第２再配分パラメータが強化カバレッジレベルごとに個別に送信される場合、ＵＥ１００は、当該ＵＥ１００に適用される強化カバレッジレベルに対応する第２再配分パラメータを取得してもよい。例えば、図９に示すリストがＳＩＢに含まれる場合において、ＵＥ１００が強化カバレッジレベル＃２の強化カバレッジ（第２カバレッジ）に居ると仮定する。この場合、ＵＥ１００は、図９に示すリストから、強化カバレッジレベル＃２に対応する第２再配分パラメータ＃２を取得する。
【００７１】
ステップＳ２３Ａにおいて、ＵＥ１００は、ランキングに代えて、第２再配分パラメータと当該ＵＥ１００の識別子とに基づいてセル再選択を行う。具体的には、ステップＳ２１のランキングに基づくセル再選択に代えて、第１カバレッジに居るＵＥと同様な方法によってセル再選択を行う。例えば、ＵＥ１００は、自ＵＥの識別子（ＩＭＳＩ）とセル又は周波数ごとの確率を示すパラメータとに基づいて、再配分ターゲット（周波数又はセル）を選択する。再配分ターゲットとして現在のサービングセル（又は現在のサービング周波数）が選択された場合、ＵＥ１００は、現在のサービングセル（又は現在のサービング周波数）を維持してもよい。再配分ターゲットとして現在のサービングセル（又は現在のサービング周波数）とは異なるセル（又は周波数）が選択された場合、ＵＥ１００は、再配分ターゲットに再配分される。再配分ターゲットに再配分された場合、ＵＥ１００は、一定期間（すなわち、有効タイマ）の間、再配分された再配分ターゲットが最も高い優先度（すなわち、任意のネットワーク設定の優先度よりも高い）を有するとみなす。
【００７２】
このような再配分は、ページングによってトリガされ得る。一定期間（有効タイマ）に相当するＴ３６０は、第２再配分パラメータに含まれてもよい。再配分がページングによってトリガされない場合、ＵＥ１００は、周期的に（Ｔ３６０が満了する度に）再配分動作を行う。
【００７３】
ＵＥ１００は、第２再配分パラメータがブロードキャストされている間は、第２再配分パラメータをセル再選択に適用すると判断してもよい。再配分がページングによってトリガされる場合、ＵＥ１００は、第２再配分パラメータを取得した後、再配分がページングによってトリガされた際に第２再配分パラメータをセル再選択に適用してもよい。再配分がページングによってトリガされない場合、ＵＥ１００は、一定期間（有効タイマ）に相当するＴ３６０が動作中である間は第２再配分パラメータをセル再選択に適用すると判断してもよい。なお、再配分がページングによってトリガされるか否かを示す情報は第２再配分パラメータに含まれてもよい。
【００７４】
このように、第１実施形態によれば、強化カバレッジ機能によって拡張されたカバレッジ（第２カバレッジ）に居るＵＥ１００に対しても再配分機能を適用することができる。また、第１カバレッジに居るＵＥと第２カバレッジに居るＵＥ１００とに個別の再配分パラメータを適用することができるため、第２カバレッジに居るＵＥ１００がセル再選択によって再選択するセル及び／又は周波数を適切に分散させることができる。
【００７５】
第１実施形態において、第２再配分パラメータは、少なくとも同一周波数内（ｉｎｔｒａ−ｆｒｅｑｕｅｎｃｙ）におけるセル再選択に適用されてもよい。なお、一般的な再配分機能において、再配分パラメータは、異周波数間（ｉｎｔｅｒ−ｆｒｅｑｕｅｎｃｙ）におけるセル再選択にのみ適用されることに留意すべきである。強化カバレッジ機能によって拡張されたカバレッジ（第２カバレッジ）に居るＵＥ１００は、移動しないＵＥであることが想定され、異周波数の隣接セルを検出することができず、同一周波数の隣接セルのみを検出可能であることがあり得る。よって、第２再配分パラメータを同一周波数内におけるセル再選択に適用することによって、第２再配分パラメータを用いて同一周波数の隣接セルへのセル再選択を可能とすることができる。かかる第２再配分パラメータは、同一周波数内用の再配分パラメータとして、異周波数間用の再配分パラメータとは別に送受信されてもよい。かかる第２再配分パラメータは、同一周波数内のセル固有のパラメータとして送受信されてもよい。
【００７６】
（第１実施形態の第１変更例）
第１実施形態の第１変更例について説明する。上述した第１実施形態において、第２カバレッジに居るＵＥ１００は、第２再配分パラメータを取得した後、ランキングに代えて、第２再配分パラメータと当該ＵＥ１００の識別子とに基づいてセル再選択を行っていた。これに対し、第１実施形態の第１変更例において、第２カバレッジに居るＵＥ１００は、第２再配分パラメータを取得した後、ランキングに所定のオフセット値を適用することによってセル再選択を行う。
【００７７】
第１実施形態の第１変更例において、ｅＮＢ２００は、ランキングに適用されるオフセット値を第２再配分パラメータに含めてもよい。ｅＮＢ２００は、オフセット値を含む第２再配分パラメータを強化カバレッジレベルごとに個別に送信してもよい（図９参照）。オフセット値は、特定のセル又は特定の周波数に対応する受信電力（すなわち、ランキング）を高くするように調整する正のオフセット値であってもよい。オフセット値は、特定のセル又は特定の周波数に対応する受信電力（すなわち、ランキング）を低くするように調整する負のオフセット値であってもよい。
【００７８】
オフセット値は、無限大の値であってもよい。正の無限大の値である場合、当該オフセット値に対応する特定のセル又は特定の周波数が最高優先度に設定され、当該特定のセル又は当該特定の周波数が必然的に再配分ターゲットとして選択される。或いは、オフセット値は、有限の値（例えば、５ｄＢ）であってもよい。正の有限の値である場合、当該オフセット値に対応する特定のセル又は特定の周波数が必ずしも最高優先度に設定されず、当該特定のセル又は特定の周波数が最高優先度に設定され易くなる。
【００７９】
オフセット値は、第２再配分パラメータに含まれていなくてもよい。オフセット値は、仕様で定められた値がＵＥ１００に予め設定（ｐｒｅｃｏｎｆｉｇｕｒｅ）されていてもよい。以下においては、オフセット値が第２再配分パラメータに含まれている一例を説明する。
【００８０】
図１１は、第１実施形態の第１変更例に係る第２カバレッジに居るＵＥ１００の動作を示す図である。
【００８１】
図１１に示すように、ステップＳ２１は、上述した第１実施形態と同様である。
【００８２】
ステップＳ２２において、ＵＥ１００は、第２再配分パラメータを含むＳＩＢを受信し、ＳＩＢに含まれる第２再配分パラメータを取得する。第２再配分パラメータは、セルごとのオフセット値又は周波数ごとのオフセット値を含んでもよい。第２再配分パラメータは、特定のセルの識別子とオフセット値との組み合わせ、又は特定の周波数の識別力とオフセット値との組み合わせを含んでもよい。第２再配分パラメータが強化カバレッジレベルごとに個別に送信される場合、ＵＥ１００は、当該ＵＥ１００に適用される強化カバレッジレベルに対応する第２再配分パラメータを取得してもよい。
【００８３】
ステップＳ２３Ｂにおいて、ＵＥ１００は、ランキングに所定のオフセット値を適用することによってセル再選択を行う。例えば、ＵＥは、現在のサービングセルのランキングＲｓ及び隣接セルのランキングＲｎを算出し、ランキングにオフセット値を適用し、所定期間（ＴｒｅｓｅｌｅｃｔｉｏｎＲＡＴ）に亘って、オフセット付きのランキングが最も高いセルを対象セル（新たなサービングセル）として選択する。
【００８４】
ＵＥ１００は、第２再配分パラメータがブロードキャストされている間は、第２再配分パラメータをセル再選択に適用すると判断してもよい。再配分がページングによってトリガされる場合、ＵＥ１００は、第２再配分パラメータを取得した後、再配分がページングによってトリガされた際に第２再配分パラメータをセル再選択に適用してもよい。なお、再配分がページングによってトリガされるか否かを示す情報は第２再配分パラメータに含まれてもよい。再配分がページングによってトリガされない場合、ＵＥ１００は、一定期間（有効タイマ）に相当するＴ３６０が動作中である間は第２再配分パラメータをセル再選択に適用すると判断してもよい。
【００８５】
（第１実施形態の第２変更例）
上述した第１実施形態において、同一周波数内（イントラ周波数）用の再配分パラメータが、異周波数間（インター周波数）用の再配分パラメータとは別に送受信される一例について説明した。第１実施形態の第２変更例は、イントラ周波数再配分パラメータ及びインター周波数再配分パラメータ並びにそれらを用いた再配分手順の詳細に関するものである。
【００８６】
第１実施形態の第２変更例において、第１周波数に属するセルを管理するｅＮＢ２００は、アイドルモードにおいて当該セルをサービングセルとして選択しているＵＥ１００に対して、第１周波数に属する他セルにＵＥ１００を再配分するためのイントラ周波数再配分パラメータと、第１周波数とは異なる第２周波数にＵＥ１００を再配分するためのインター周波数再配分パラメータとを送信する。ＵＥ１００は、イントラ周波数再配分パラメータ及びインター周波数再配分パラメータを受信し、イントラ周波数再配分パラメータ及びインター周波数再配分パラメータの少なくとも一方を用いて、セル再選択の最高優先度を付与する周波数又はセルである再配分ターゲットを選択する。
【００８７】
上述したように、現状の３ＧＰＰ仕様は、インター周波数再配分パラメータをサポートしているが、イントラ周波数再配分パラメータをサポートしていない。強化カバレッジ機能によって拡張されたカバレッジ（第２カバレッジ）に居るＵＥ１００は、移動しないＵＥであることが想定され、異周波数の隣接セルを検出することができず、同一周波数の隣接セルのみを検出可能であることがあり得る。よって、イントラ周波数再配分パラメータを導入することによって、同一周波数の隣接セルへのセル再選択を可能とすることができる。
【００８８】
しかしながら、ＵＥ１００が同一周波数の隣接セルへのセル再選択を行う場合、元のサービングセルがＵＥ１００にとって最適なセル（Ｂｅｓｔ  Ｃｅｌｌ）であり、再選択された隣接セルは最適なセルではない場合がある。かかる状況下において、ＵＥ１００が、再選択された隣接セルにおいてコネクティッドモードに遷移し、再選択された隣接セルへの上りリンク送信を行うシナリオを想定する。或いは、現在３ＧＰＰにおいて検討されているアーリーデータ伝送を用いる場合、ＵＥ１００は、再選択された隣接セルに対して、ランダムアクセスプロシージャ中に上りリンクデータを送信し、コネクティッドモードに遷移せずにランダムアクセスプロシージャを終了し得る。
【００８９】
かかるシナリオにおいて、再選択された隣接セルへの上りリンク送信は、当該隣接セルと同じ周波数に属する元のサービングセルに対して強い上りリンク干渉を与える。具体的には、元のサービングセルと再選択された隣接セルとが同じ周波数に属するため、周波数干渉が生じる。よって、イントラ周波数再配分パラメータを用いた再配分手順は、低優先度で実行されることが望ましい。
【００９０】
そこで、第１実施形態の第２変更例において、ＵＥ１００は、イントラ周波数再配分パラメータよりもインター周波数再配分パラメータを優先的に用いて再配分ターゲットを選択する。すなわち、イントラ周波数再配分パラメータを用いた再配分手順を低優先度で実行することにより、上述したような干渉の発生を抑制することができる。
【００９１】
例えば、イントラ周波数再配分パラメータ及びインター周波数再配分パラメータの両方が設定されたＵＥ１００は、次の動作を行う。なお、「イントラ周波数再配分パラメータ及びインター周波数再配分パラメータの両方が設定された」状態とは、ＵＥ１００がイントラ周波数再配分パラメータ及びインター周波数再配分パラメータの両方を受信した状態を意味してもよい。まず、ＵＥ１００は、インター周波数再配分パラメータを用いて再配分ターゲットを選択するインター周波数再配分手順を実行する。ＵＥ１００は、インター周波数再配分手順が失敗に終わった場合に限り、イントラ周波数再配分パラメータを用いて再配分ターゲットを選択するイントラ周波数再配分手順を実行してもよい。これにより、ＵＥ１００は、インター周波数再配分手順が成功し、インター周波数再配分パラメータを用いて再配分ターゲットを選択した場合には、イントラ周波数再配分手順を実行しない。すなわち、ＵＥ１００は、別周波数において適切なセルが発見されない場合に限り、同一周波数内のセルを探索する。
【００９２】
ＵＥ１００は、ネットワークからのページングによる再配分指示がなされた場合において、イントラ周波数再配分手順及びインター周波数再配分手順の両方がトリガされた場合に、イントラ周波数再配分手順を実行可能としてもよい。ＵＥ１００は、インター周波数再配分プロシージャがページングによりトリガされ、かつ、イントラ周波数再配分手順がページングによりトリガされない場合には、イントラ周波数再配分手順を実行しない。
【００９３】
ＵＥ１００は、イントラ周波数再配分手順及びインター周波数再配分手順の両方を実行する旨がＳＩＢによって報知されている場合に、イントラ周波数再配分手順を実行可能としてもよい。すなわち、ＵＥ１００は、イントラ周波数再配分手順及びインター周波数再配分手順の両方を実行する旨がＳＩＢによって報知されていない場合には、イントラ周波数再配分手順を実行しない。
【００９４】
第１実施形態の第２変更例において、ｅＮＢ２００は、イントラ周波数再配分パラメータを用いて再配分ターゲットを選択することが許可されている旨の通知をＵＥ１００に送信してもよい。かかる通知は、ＳＩＢ（例えば、ＳＩＢタイプ３）によってブロードキャストされてもよい。ＵＥ１００は、かかる通知を受信した場合に限り、イントラ周波数再配分パラメータを用いた再配分ターゲットの選択を有効化してもよい。ＵＥ１００は、かかる通知を受信しない場合には、イントラ周波数再配分手順を実行せずに、インター周波数再配分手順のみを実行する。
【００９５】
第１実施形態の第２変更例において、ＵＥ１００は、繰り返し送信を含む強化カバレッジ機能によって拡張されたカバレッジに位置していてもよい。イントラ周波数再配分パラメータは、強化カバレッジ機能によって拡張されたカバレッジに位置するＵＥ１００にのみ適用されるとしてもよい。かかる場合、イントラ周波数再配分パラメータは、強化カバレッジ機能によって拡張されていない通常のカバレッジに位置するＵＥ１００には適用されない。
【００９６】
次に、インター周波数再配分パラメータ及びそれを用いた再配分手順（インター周波数再配分手順）の詳細について説明する。上述したように、インター周波数再配分手順については、例えば３ＧＰＰ仕様書「ＴＳ３６．３０４  Ｖ１３．３．０  （２０１６−０９）」の５．２．４．１０章の「Ｅ−ＵＴＲＡＮ  Ｉｎｔｅｒ−ｆｒｅｑｕｅｎｃｙ  Ｒｅｄｉｓｔｒｉｂｕｔｉｏｎ  ｐｒｏｃｅｄｕｒｅ」及び５．２．４．１０．１章の「Ｒｅｄｉｓｔｒｉｂｕｔｉｏｎ  ｔａｒｇｅｔ  ｓｅｌｅｃｔｉｏｎ」に規定されている。
【００９７】
ｅＮＢ２００は、再配分パラメータをＳＩＢタイプ３及びＳＩＢタイプ５によって送信する。再配分パラメータのうちインター周波数再配分パラメータは、ＳＩＢタイプ５に含まれるＲｅｄｉｓｔｒｉｂｕｔｉｏｎＩｎｔｅｒＦｒｅｑＩｎｆｏに相当する。ＲｅｄｉｓｔｒｉｂｕｔｉｏｎＩｎｔｅｒＦｒｅｑＩｎｆｏは、隣接周波数リスト（ＩｎｔｅｒＦｒｅｑＣａｒｒｉｅｒＦｒｅｑＬｉｓｔ）中の隣接周波数ごとに規定される。なお、ＳＩＢタイプ５は、インター周波数セル再選択に関する情報を含むＳＩＢである。
【００９８】
図１２は、インター周波数再配分パラメータ（ＲｅｄｉｓｔｒｉｂｕｔｉｏｎＩｎｔｅｒＦｒｅｑＩｎｆｏ）を示す図である。図１２に示す各情報要素において「−ｒ１３」は３ＧＰＰ仕様リリース１３において導入されたものであることを意味し、以下においてその表記を省略する。
【００９９】
図１２に示すように、ＲｅｄｉｓｔｒｉｂｕｔｉｏｎＩｎｔｅｒＦｒｅｑＩｎｆｏは、隣接周波数リスト（ＩｎｔｅｒＦｒｅｑＣａｒｒｉｅｒＦｒｅｑＬｉｓｔ）中の隣接周波数ごとに提供される。ＲｅｄｉｓｔｒｉｂｕｔｉｏｎＩｎｔｅｒＦｒｅｑＩｎｆｏは、その隣接周波数が再配分ターゲットとして選択される確率を定めるパラメータ（ｒｅｄｉｓｔｒｉｂｕｔｉｏｎＦａｃｔｏｒＦｒｅｑ）を含む。或いは、ＲｅｄｉｓｔｒｉｂｕｔｉｏｎＩｎｔｅｒＦｒｅｑＩｎｆｏは、その隣接周波数におけるセルのリスト（ｒｅｄｉｓｔｒｉｂｕｔｉｏｎＮｅｉｇｈＣｅｌｌＬｉｓｔ）を含み、セルごとに再配分ターゲットとして選択される確率を定めるパラメータ（ｒｅｄｉｓｔｒｉｂｕｔｉｏｎＦａｃｔｏｒＣｅｌｌ）を含んでもよい。セルのリスト（ｒｅｄｉｓｔｒｉｂｕｔｉｏｎＮｅｉｇｈＣｅｌｌＬｉｓｔ）は、セルごとの情報要素（ＲｅｄｉｓｔｒｉｂｕｔｉｏｎＮｅｉｇｈＣｅｌｌ）を含む。セルごとの情報要素（ＲｅｄｉｓｔｒｉｂｕｔｉｏｎＮｅｉｇｈＣｅｌｌ）は、対応するセルの物理セル識別子（ＰｈｙｓＣｅｌｌＩｄ）及び確率を定めるパラメータ（ｒｅｄｉｓｔｒｉｂｕｔｉｏｎＦａｃｔｏｒＣｅｌｌ）を含む。
【０１００】
ＵＥ１００は、かかるインター周波数再配分パラメータ（ＲｅｄｉｓｔｒｉｂｕｔｉｏｎＩｎｔｅｒＦｒｅｑＩｎｆｏ）を用いて、ＴＳ３６．３０４の５．２．４．１０章に規定された再配分手順（インター周波数再配分手順）を次のように実行する。
【０１０１】
ＵＥ１００が再配分の能力を有しており、かつ、ｒｅｄｉｓｔｒｉｂｕｔｉｏｎＳｅｒｖｉｎｇＩｎｆｏがＳＩＢタイプ３に含まれ、ｒｅｄｉｓｔｒｉｂｕｔｉｏｎＩｎｔｅｒＦｒｅｑＩｎｆｏがＳＩＢタイプ５に含まれており、ＵＥ１００に専用の優先度が設定されていない場合であって：
−Ｔ３６０が稼働中ではなく、ＲｅｄｉｓｔｒＯｎＰａｇｉｎｇＯｎｌｙがＳＩＢタイプ３に存在しない場合；又は
−Ｔ３６０が満了し、ｒｅｄｉｓｔｒＯｎＰａｇｉｎｇＯｎｌｙがＳＩＢタイプ３に存在しない場合；又は
−ページングメッセージが受信され、それにｒｅｄｉｓｔｒｉｂｕｔｉｏｎＩｎｄｉｃａｔｉｏｎが含まれている場合、ＵＥ１００は、ＴＳ３６．３０４の５．２．４．２章に規定された周波数間測定（インター周波数測定）を行う。
【０１０２】
なお、ＲｅｄｉｓｔｒＯｎＰａｇｉｎｇＯｎｌｙは、再配分プロシージャがページングによってのみトリガされることを示し、ＳＩＢタイプ３の情報要素である。ｒｅｄｉｓｔｒｉｂｕｔｉｏｎＩｎｄｉｃａｔｉｏｎは、再配分プロシージャをトリガすることを示し、ページングメッセージの情報要素である。
【０１０３】
ＵＥ１００は、周波数間測定（インター周波数測定）によって測定結果が利用可能になると、ＴＳ３６．３０４の５．２．４．１０．１章で指定された再配分ターゲット選択を実行し、かつ、Ｔ３６０を起動する。Ｔ３６０は、ＳＩＢタイプ３の情報要素である。
【０１０４】
ＵＥ１００は、次の場合に、Ｔ３６０を停止し、再配分ターゲットとなる周波数又はセルを考慮しない。
【０１０５】
−ＵＥ１００がＲＲＣ＿ＣＯＮＮＥＣＴＥＤ状態に入る；又は
−Ｔ３６０が満了した；又は
−Ｔ３６０の稼動中にページングメッセージが受信され、それにｒｅｄｉｓｔｒｉｂｕｔｉｏｎＩｎｄｉｃａｔｉｏｎが含まれている：又は
−ＵＥ１００が再配分ターゲットに属さないセルを再選択する。
【０１０６】
次に、ＴＳ３６．３０４の５．２．４．１０．１章で指定された再配分ターゲット選択は次のようにして実行される。
【０１０７】
ＵＥ１００は、１又は複数の再配分ターゲットのソート済みリストをコンパイルし、各候補エントリ［ｊ］に対して有効なｒｅｄｉｓｔｒＦａｃｔｏｒ［ｊ］をコンパイルする。エントリは、次のようにインデックス０から順に増加するインデックス順に追加される。
【０１０８】
サービング周波数について（再配分が設定されるときはいつでもＳＩＢタイプ３にｒｅｄｉｓｔｒｉｂｕｔｉｏｎＦａｃｔｏｒＳｅｒｖｉｎｇが含まれる）：
−ｒｅｄｉｓｔｒｉｂｕｔｉｏｎＦａｃｔｏｒＣｅｌｌが含まれていればサービングセル；
−そうでなければサービング周波数；
−どちらの場合も、ｒｅｄｉｓｔｒＦａｃｔｏｒ［０］はｒｅｄｉｓｔｒｉｂｕｔｉｏｎＦａｃｔｏｒＳｅｒｖｉｎｇに設定される。
【０１０９】
ＩｎｔｅｒＦｒｅｑＣａｒｒｉｅｒＦｒｅｑＬｉｓｔ内の各エントリとそれに続くＩｎｔｅｒＦｒｅｑＣａｒｒｉｅｒＦｒｅｑＬｉｓｔＥｘｔの各エントリについて：
−ｒｅｄｉｓｔｒｉｂｕｔｉｏｎＮｅｉｇｈＣｅｌｌＬｉｓｔが設定されていて、このセルが含まれている場合、ＴＳ３６．３０４の５．２．４．６章に従って、この周波数で最良のセルとしてランク付けされたセル；
−そうでなければ、ｒｅｄｉｓｔｒｉｂｕｔｉｏｎＦａｃｔｏｒＦｒｅｑが設定され、かつ、周波数上の少なくとも１つのセルがＴＳ３６．３０４の５．２．３．２章で定義されたセル選択基準Ｓを満たしている場合、関連する周波数；
−セルが含まれる場合、ｒｅｄｉｓｔｒＦａｃｔｏｒ［ｊ］は対応するｒｅｄｉｓｔｒｉｂｕｔｉｏｎＦａｃｔｏｒＣｅｌｌに設定される。周波数が含まれる場合、ｒｅｄｉｓｔｒＦａｃｔｏｒ［ｊ］は対応するｒｅｄｉｓｔｒｉｂｕｔｉｏｎＦａｃｔｏｒＦｒｅｑに設定される。
【０１１０】
ＵＥ１００は、次のように再配分ターゲットを選択する。
【０１１１】
下記の数１を満たす場合、ＵＥ１００は再配分ターゲットとしてｒｅｄｉｓｔｒＦａｃｔｏｒ［０］に対応する周波数又はセルを選択する。
【０１１２】
【数１】
2019102964.tif 000003
【０１１３】
下記の数２を満たす場合、ＵＥ１００は再配分ターゲットとしてｒｅｄｉｓｔｒＦａｃｔｏｒ［ｉ］に対応する周波数又はセルを選択する。
【０１１４】
【数２】
2019102964.tif 000004
【０１１５】
ここで、ｕｅＩＤは、下記の数３によりＵＥ１００のＩＭＳＩに基づいて定められる。
【０１１６】
【数３】
2019102964.tif 000005
【０１１７】
なお、サービング周波数又はセル以外に、再配分候補がない場合、ｒｅｄｉｓｔｒＲａｎｇｅ［０］＝１となる。サービング周波数又はセル以外に再配分候補がある場合、Ｅ−ＵＴＲＡＮ周波数又はセルのｒｅｄｉｓｔｒＲａｎｇｅ［ｉ］は、下記の数４により定められる。
【０１１８】
【数４】
2019102964.tif 000006
【０１１９】
ここで、ｍａｘＣａｎｄｉｄａｔｅｓは、有効なｒｅｄｉｓｔｒＦａｃｔｏｒ［ｊ］を持つ周波数／セルの総数である。
【０１２０】
かかるインター周波数再配分手順において、インター周波数再配分手順が失敗に終わった場合とは、サービング周波数又はサービングセル以外に再配分候補（すなわち、セル選択基準Ｓを満たしている隣接セル）が存在しない場合を意味してもよい。
【０１２１】
次に、イントラ周波数再配分パラメータ及びそれを用いた再配分手順（イントラ周波数再配分手順）の一例について説明する。イントラ周波数再配分パラメータは、例えばＳＩＢタイプ４に含まれる。ＳＩＢタイプ４は、イントラ周波数セル再選択に関する情報を含むＳＩＢである。なお、イントラ周波数再配分手順において、ＳＩＢタイプ３に含まれる再配分パラメータをインター周波数再配分手順と共通化してもよいし、ＳＩＢタイプ３に含まれる再配分パラメータに対応する新たな再配分パラメータをイントラ周波数再配分手順向けにＳＩＢタイプ３（又は他のタイプのＳＩＢ）に設けてもよい。
【０１２２】
ＳＩＢタイプ４は、イントラ周波数におけるセルのリスト（ｉｎｔｒａＦｒｅｑＮｅｉｇｈＣｅｌｌＬｉｓｔ）を含む。イントラ周波数再配分パラメータは、このリスト（ｉｎｔｒａＦｒｅｑＮｅｉｇｈＣｅｌｌＬｉｓｔ）中のセルごとの情報要素（ＲｅｄｉｓｔｒｉｂｕｔｉｏｎＮｅｉｇｈＣｅｌｌ）として、再配分ターゲットとして選択される確率を定めるパラメータ（ｒｅｄｉｓｔｒｉｂｕｔｉｏｎＦａｃｔｏｒＣｅｌｌ）を含む。具体的には、セルごとの情報要素（ＲｅｄｉｓｔｒｉｂｕｔｉｏｎＮｅｉｇｈＣｅｌｌ）は、対応するセルの物理セル識別子（ＰｈｙｓＣｅｌｌＩｄ）及び確率を定めるパラメータ（ｒｅｄｉｓｔｒｉｂｕｔｉｏｎＦａｃｔｏｒＣｅｌｌ）を含む。
【０１２３】
イントラ周波数再配分手順は、ＴＳ３６．３０４の５．２．４．１０．１章で指定された再配分ターゲット選択において、周波数の選択に関する動作を除去し、セルの選択に関する動作を流用したものである。すなわち、ｒｅｄｉｓｔｒＦａｃｔｏｒ［０］にはサービングセルが設定され、ｒｅｄｉｓｔｒＦａｃｔｏｒ［ｊ］には対応するｒｅｄｉｓｔｒｉｂｕｔｉｏｎＦａｃｔｏｒＣｅｌｌが設定される。
【０１２４】
例えば、イントラ周波数再配分手順において、ＴＳ３６．３０４の５．２．４．１０．１章で指定された再配分ターゲット選択が次のように変更される。
【０１２５】
ＵＥ１００は、１又は複数の再配分ターゲットのソート済みリストをコンパイルし、各候補エントリ［ｊ］に対して有効なｒｅｄｉｓｔｒＦａｃｔｏｒ［ｊ］をコンパイルする。エントリは、次のようにインデックス０から順に増加するインデックス順に追加される。サービング周波数についてｒｅｄｉｓｔｒＦａｃｔｏｒ［０］がｒｅｄｉｓｔｒｉｂｕｔｉｏｎＦａｃｔｏｒＳｅｒｖｉｎｇに設定される。ｉｎｔｒａＦｒｅｑＮｅｉｇｈＣｅｌｌＬｉｓｔ内の各エントリについて、ｒｅｄｉｓｔｒＦａｃｔｏｒ［ｊ］は対応するｒｅｄｉｓｔｒｉｂｕｔｉｏｎＦａｃｔｏｒＣｅｌｌに設定される。
【０１２６】
ＵＥ１００は、次のように再配分ターゲットを選択する。上記の数１を満たす場合、ＵＥ１００は再配分ターゲットとしてｒｅｄｉｓｔｒＦａｃｔｏｒ［０］に対応するセルを選択する。上記の数２を満たす場合、ＵＥ１００は再配分ターゲットとしてｒｅｄｉｓｔｒＦａｃｔｏｒ［ｉ］に対応する周波数又はセルを選択する。なお、サービングセル以外に、再配分候補がない場合、ｒｅｄｉｓｔｒＲａｎｇｅ［０］＝１となる。それ以外の場合、Ｅ−ＵＴＲＡＮセルのｒｅｄｉｓｔｒＲａｎｇｅ［ｉ］は、上記の数４により定められる。
【０１２７】
図１３は、第１実施形態の第２変更例におけるＵＥ１００の動作の一例を示す図である。かかる動作の前提として、ＵＥ１００はアイドルモードであり、ｅＮＢ２００のセルをサービングセルとして選択している。ＵＥ１００は、ｅＮＢ２００のセルの拡張カバレッジ（第２カバレッジ）に位置する（図７参照）。
【０１２８】
図１３に示すように、ステップＳ３１において、ＵＥ１００は、インター周波数再配分パラメータ及びイントラ周波数再配分パラメータをｅＮＢ２００から受信する。このとき、ＵＥ１００は、同時又は異なるタイミングで、インター周波数再配分パラメータ及びイントラ周波数再配分パラメータをｅＮＢ２００から受信してもよい。また、ＵＥ１００は、ｅＮＢ２００から受信する代わりに、予め、インター周波数再配分パラメータ及びイントラ周波数再配分パラメータの両方を制御部１３０内のメモリに記憶しておいてもよく、その場合には、ステップＳ３１を省略してもよい。また、ＵＥ１００は、インター周波数再配分パラメータ及びイントラ周波数再配分パラメータのいずれか一方を制御部１３０内のメモリに記憶しておき、他方をｅＮＢ２００から受信してもよい。
【０１２９】
ステップＳ３２において、ＵＥ１００は、インター周波数再配分パラメータを用いて再配分ターゲットを選択するインター周波数再配分手順を実行する。インター周波数再配分手順が成功した場合（ステップＳ３３：YES）、ＵＥ１００は、インター周波数再配分手順において選択された再配分ターゲットを最高優先度とみなし、選択された再配分ターゲットに対応する隣接セル（すなわち、隣接周波数のセル）をＵＥ１００の新たなサービングセルとして再選択する。なお、ＵＥ１００は、ステップＳ３１の後に、インター周波数再配分パラメータ及びイントラ周波数再配分パラメータを設定した場合にのみステップＳ３２を実行してもよい。
【０１３０】
一方、インター周波数再配分手順が失敗に終わった場合（ステップＳ３３：ＮＯ）、ステップＳ３４において、ＵＥ１００は、イントラ周波数再配分パラメータを用いて再配分ターゲットを選択するイントラ周波数再配分手順を実行する。ＵＥ１００は、イントラ周波数再配分手順において選択された再配分ターゲットを最高優先度とみなし、選択された再配分ターゲットに対応する隣接セル（すなわち、サービング周波数のセル）をＵＥ１００の新たなサービングセルとして再選択する。なお、インター周波数再配分手順及びイントラ周波数再配分手順のいずれも失敗に終わった場合、ＵＥ１００は現在のサービングセルを維持する。
【０１３１】
図１３のフローでは、インター周波数再配分手順が成功する場合にもＵＥ１００がステップＳ３１でイントラ周波数再配分パラメータをｅＮＢ２００から受信（取得）している。しかしながら、ＵＥ１００は、インター周波数再配分手順が失敗に終わった場合に、イントラ周波数再配分パラメータをｅＮＢ２００から受信してもよい。かかる場合、ＵＥ１００は、ステップＳ３１でイントラ周波数再配分パラメータを受信せずに、インター周波数再配分手順が失敗に終わった場合に（ステップＳ３３：ＮＯ）、イントラ周波数再配分パラメータをｅＮＢ２００から受信して、ステップＳ３４のイントラ周波数再配分手順を実行する。
【０１３２】
［第２実施形態］
第２実施形態について、第１実施形態との相違点を主として説明する。
【０１３３】
（第２実施形態の概要）
上述した第１実施形態において、再配分（ｒｅｄｉｓｔｒｉｂｕｔｉｏｎ）機能を利用して、強化カバレッジ機能によって拡張されたカバレッジに居るアイドルモードのＵＥ１００をセル再選択によって複数のセル及び／又は周波数に適切に分散させる動作を説明した。
【０１３４】
第２実施形態は、再配分機能を利用せずに、通常のセル再選択のプロシージャを改良することによって第１実施形態と同様な効果を得ることを可能とする実施形態である。第２実施形態は、強化カバレッジ機能によって拡張されたカバレッジに居るアイドルモードのＵＥ１００を主として対象とする。但し、第２実施形態は、通常のカバレッジに居るアイドルモードのＵＥ１００を対象としてもよい。
【０１３５】
上述したように、強化カバレッジに居るＵＥ１００は、セル再選択における周波数の優先度に拘わらず、受信電力（ＲＳＲＰ）に基づくランキングによってセル再選択を行う。例えば、ＵＥは、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。例えば、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。ここで、各種オフセット値（Ｑｏｆｆｓｅｔｔｅｍｐ、ＱＨｙｓｔ、Ｑｏｆｆｓｅｔ）は、ｅＮＢ２００からブロードキャストされるＳＩＢに含まれるセル再選択パラメータの一部である。
【０１３６】
このような前提下において、負荷が高い第１セルにおいてセル再選択パラメータ（以下、「第１セル再選択パラメータ」という）を変更することによって、第１セルに居るＵＥ１００に第２セル（隣接セル）へのセル再選択を行わせて、第１セルの負荷を第２セルに分散させることが考えられる。ＵＥ１００は、第２セルへのセル再選択を行うと、第２セルにおいてブロードキャストされているＳＩＢを用いてセル再選択を行う。具体的には、ＵＥ１００は、第２セルから取得したセル再選択パラメータ（以下、「第２セル再選択パラメータ」という）を用いて上記のランキング動作を行い、第２セルに留まるか又は隣接セルへのセル再選択を行うかを判断する。ここで、第２セル再選択パラメータが不適切なものであると、ＵＥ１００は、第１セルから第２セルへのセル再選択を行った直後に、第２セル再選択パラメータを用いて第２セルから第１セルへのセル再選択を行うことがある。このようなピンポン現象が生じると、第１セルの負荷を第２セルに分散させることができない。
【０１３７】
負荷が高い第１セルにおいて第１セル再選択パラメータを変更する場合、第２セルも第２セル再選択パラメータを変更することによって、ピンポン現象の発生を回避することも考えられる。しかしながら、セルの負荷分散のためにセル再選択パラメータを変更する場合には、セル再選択パラメータを頻繁に（動的に）変更可能であることが必要とされる。第１セルにおいて第１セル再選択パラメータを変更する度に第２セルも第２セル再選択パラメータを変更することは非効率であり、望ましい方法ではない。
【０１３８】
かかる問題を解決するために、第２実施形態に係るセル再選択制御方法は、第１セルをサービングセルとして選択しているＵＥ１００が、第１セルからブロードキャストされる第１セル再選択パラメータを受信するステップと、ＵＥ１００が、第１セル再選択パラメータを用いて、第１セルとは異なる第２セルをサービングセルとして再選択するステップと、ＵＥ１００が、第２セルをサービングセルとして再選択してから所定期間が経過するまで、第２セルからブロードキャストされる第２セル再選択パラメータを用いるセル再選択の開始を延期するステップとを備える。
【０１３９】
このように、第１セル再選択パラメータを用いて第１セルから第２セルへのセル再選択を行ったＵＥ１００は、第２セルを再選択してから所定期間が経過するまで、第２セルからブロードキャストされる第２セル再選択パラメータを用いるセル再選択の開始を延期する。これにより、ＵＥ１００が、第１セルから第２セルへのセル再選択を行った直後に、第２セル再選択パラメータを用いて第２セルから第１セルへのセル再選択を行うこと、すなわちピンポン現象を防止することができる。
【０１４０】
セル再選択は、サービングセルに対応する第１受信電力に応じて定められる第１ランキングと隣接セルに対応する第２受信電力に応じて定められる第２ランキングとを比較することを含む。第１セル再選択パラメータ及び第２セル再選択パラメータのそれぞれは、第１受信電力に適用されるオフセット値及び／又は第２受信電力に適用されるオフセット値を含む。
【０１４１】
第２実施形態に係るセル再選択制御方法は、ＵＥ１００が、第２セルをサービングセルとして再選択してから所定期間が経過するまで、第１セル再選択パラメータをセル再選択に用いることを継続するステップをさらに備える。
【０１４２】
第２実施形態に係るセル再選択制御方法は、ＵＥ１００が、第１セルからブロードキャストされ、所定期間を指定する情報を受信するステップをさらに備える。延期するステップは、第２セルをサービングセルとして再選択してから、第１セルから指定された所定期間が経過するまで、第２セル再選択パラメータを用いるセル再選択の開始を延期するステップを含む。
【０１４３】
第２実施形態に係るＵＥ１００は、第１セルをサービングセルとして選択している際に、第１セルからブロードキャストされる第１セル再選択パラメータを受信する受信部と、第１セル再選択パラメータを用いて、第１セルとは異なる第２セルをサービングセルとして再選択する制御部とを備える。制御部は、第２セルをサービングセルとして再選択してから所定期間が経過するまで、第２セルからブロードキャストされる第２セル再選択パラメータを用いるセル再選択の開始を延期する。
【０１４４】
第２実施形態において、「第２セル再選択パラメータを用いるセル再選択の開始を延期する」とは、セル再選択のプロシージャ自体を実施しないこと、セル再選択のプロシージャのうち測定（特に、受信電力の測定）を実施しないこと、又は第２セル再選択パラメータを適用しないこと（測定・再選択プロシージャは開始・実行されていてもよい）ことをいう。
【０１４５】
（第２実施形態に係る動作の一例）
第２実施形態に係る動作の一例について説明する。ここでは、セル再選択パラメータとして、隣接セルのランキングＲｎの算出に用いられるオフセット値であるＱｏｆｆｓｅｔを例示する。ランキングＲｎは、“Ｑｍｅａｓ，ｎ−Ｑｏｆｆｓｅｔ−Ｑｏｆｆｓｅｔｔｅｍｐ”によって算出される。すなわち、Ｑｏｆｆｓｅｔは、隣接セルに対応する受信電力Ｑｍｅａｓ，ｎに適用されるオフセット値である。Ｑｏｆｆｓｅｔの値を変化させることによって、サービングセルのランキングに対する隣接セルのランキングを相対的に変化させることができる。例えば、Ｑｏｆｆｓｅｔによって、隣接セルに対応する受信電力“Ｑｍｅａｓ，ｎ”に正のオフセット値を付与する場合、隣接セルのランキングが相対的に高くなり、隣接セルへのセル再選択を促すことができる。
【０１４６】
Ｑｏｆｆｓｅｔは、隣接セルごとに設定される。ｅＮＢ２００は、隣接セルの識別子であるセルＩＤとＱｏｆｆｓｅｔとの複数のセットをＳＩＢによってブロードキャストする。第２実施形態に係るＱｏｆｆｓｅｔ、すなわち、隣接セルにおいても所定時間内において有効なＱｏｆｆｓｅｔは、隣接セルにおいて無効になる既存のＱｏｆｆｓｅｔとは別の新たな情報要素としてＳＩＢ中に設けられてもよい。Ｑｏｆｆｓｅｔを既存の情報要素と同じとして、隣接セルにおいても所定時間内において有効であることを示す識別子又はフラグをＳＩＢ中でＱｏｆｆｓｅｔに関連付けてもよい。Ｑｏｆｆｓｅｔを既存の情報要素と同じとして、ＵＥ１００が、所定期間を指定する情報がブロードキャストされている場合に、Ｑｏｆｆｓｅｔが隣接セルにおいても所定時間内において有効であると判断してもよい。
【０１４７】
図１４は、第２実施形態に係るアイドルモードのＵＥ１００の動作例を示す図である。ＵＥ１００は、強化カバレッジ機能によって拡張されたカバレッジに居るＵＥ１００であってもよい。
【０１４８】
図１４に示すように、ステップＳ１０１において、ＵＥ１００は、第１セル再選択パラメータ（Ｑｏｆｆｓｅｔ）を含むＳＩＢを、現在のサービングセルである第１セルから取得する。ここでは、第１セル再選択パラメータ（Ｑｏｆｆｓｅｔ）が、隣接セルのランキングを相対的に高くするような値であると仮定する。ＵＥ１００は、さらに、所定時間を指定する情報（タイマ値）を第１セルから取得してもよい。タイマ値は、第１セル再選択パラメータ（Ｑｏｆｆｓｅｔ）が含まれるＳＩＢと同じＳＩＢに含まれてもよいし、異なるＳＩＢに含まれてもよい。
【０１４９】
ステップＳ１０２において、ＵＥ１００は、第１セル再選択パラメータ（Ｑｏｆｆｓｅｔ）を用いてランキング動作を行う。ＵＥ１００は、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。例えば、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。ここでは、ランキング動作によって、隣接セルの１つである第２セルが新たなサービングセルとして選択されたと仮定する。
【０１５０】
ステップＳ１０３において、ＵＥ１００は、第１セルから第２セルへのセル再選択を行う。ＵＥ１００は、第１セルから第２セルへのセル再選択を行う場合に、第１セルから指定された所定時間に対応するタイマを起動する。タイマの起動タイミングは、第２セルへのセル再選択を行うタイミング、例えば、第２セルへのセル再選択を決定したタイミング又は第２セルへのセル再選択を完了したタイミング等であってもよい。
【０１５１】
ステップＳ１０４において、ＵＥ１００は、タイマ動作中は、第１セル再選択パラメータ（Ｑｏｆｆｓｅｔ）を用いるランキング動作を継続する。この時点では、第２セルが現在のサービングセルであるため、ＵＥ１００が第１セル再選択パラメータ（Ｑｏｆｆｓｅｔ）をそのまま用いると、隣接セルである第１セルのランキングが高くなってしまう。よって、ＵＥ１００は、第１セル再選択パラメータ（Ｑｏｆｆｓｅｔ）の正と負を逆転してランキング動作に用いてもよい。
【０１５２】
ＵＥ１００は、タイマ動作中は、第２セルにおいてブロードキャストされる第２セル再選択パラメータ（Ｑｏｆｆｓｅｔ）を取得しない（すなわち、無視する）。或いは、ＵＥ１００は、タイマ動作中は、第２セルにおいてブロードキャストされる第２セル再選択パラメータ（Ｑｏｆｆｓｅｔ）を取得しても、第２セル再選択パラメータ（Ｑｏｆｆｓｅｔ）をランキング動作に適用せずに保持又は破棄する。
【０１５３】
タイマが満了した場合（ステップＳ１０５：ＹＥＳ）、ステップＳ１０６において、ＵＥ１００は、第２セル再選択パラメータ（Ｑｏｆｆｓｅｔ）を有していなければ第２セル再選択パラメータ（Ｑｏｆｆｓｅｔ）を第２セルから取得し、第２セル再選択パラメータ（Ｑｏｆｆｓｅｔ）を用いるランキング動作を開始する。
【０１５４】
本フローは、ＵＥ１００が、タイマ動作中は、第１セル再選択パラメータを用いるランキング動作を継続する一例を説明した。しかしながら、ＵＥ１００は、タイマ動作中はランキング動作自体を中断し、タイマ満了後に第２セル再選択パラメータを用いるランキング動作を開始してもよい。或いは、ｅＮＢ２００は、タイマ動作中にのみ有効となる例外的なセル再選択パラメータを通常のセル再選択パラメータとは別にＵＥ１００に提供してもよい。この場合、ＵＥ１００は、タイマ動作中は、例外的なセル再選択パラメータを用いるランキング動作を行ってもよい。
【０１５５】
［第３実施形態］
第３実施形態について、第１及び第２実施形態との相違点を主として説明する。
【０１５６】
（第３実施形態の概要）
第３実施形態は、セルの負荷が高い場合に、当該セルへのＵＥ１００のアクセスを規制することによって、当該セルがシャットダウンすることを回避することを可能とする実施形態である。第３実施形態は、強化カバレッジ機能によって拡張されたカバレッジに居るアイドルモードのＵＥ１００を主として対象とする。但し、第３実施形態は、通常のカバレッジに居るアイドルモードのＵＥ１００を対象としてもよい。
【０１５７】
拡張されたカバレッジに居るアイドルモードのＵＥ１００は、例えば、ｅＭＴＣ  ＵＥ及び／又はＮＢ−ＩｏＴ  ＵＥである。一般的に、かかるＵＥ１００は、移動せずに同じセルに居続けるため、アクセス規制が適用されると、アクセス規制が解除されるまでネットワークとの通信を行うことができない。
【０１５８】
かかる問題を解決するために、第３実施形態に係るアクセス規制方法は、ｅＮＢ２００がアクセス規制を開始する前に、ｅＮＢ２００が、所定時間後にアクセス規制を開始することを示す予告通知をブロードキャストするステップと、ＵＥ１００が、予告通知を受信するステップと、ＵＥ１００が、予告通知に基づいて、所定時間内にｅＮＢ２００へのアクセスを行うべきか否かを判断するステップと、ｅＮＢ２００が、予告通知をブロードキャストしてから所定時間が経過した後にアクセス規制を開始するステップとを備える。
【０１５９】
このように、ｅＮＢ２００がアクセス規制を開始する前に予告通知をブロードキャストすることによって、ＵＥ１００は、アクセス規制が開始されることを事前に把握することができるため、アクセスを行う必要があれば、アクセス規制が開始される前にｅＮＢ２００へのアクセスを行うことができる。なお、予告通知に起因して、所定時間内において多数のＵＥ１００が一斉にアクセスを行うことにより輻輳が発生する可能性がある。しかしながら、予告なしにアクセス規制を行う場合と比較して、一部のＵＥ１００（特に、拡張されたカバレッジに居るｅＭＴＣ  ＵＥ及び／又はＮＢ−ＩｏＴ  ＵＥ）だけでもデータ送受信を完了できる可能性を高めることができる。
【０１６０】
第３実施形態に係るアクセス規制方法は、ＵＥ１００に１又は複数のアクセスクラスを設定するステップと、ｅＮＢ２００が、所定時間内にｅＮＢ２００へのアクセスを許可する特定のアクセスクラスを示すアクセスクラス情報をブロードキャストするステップと、ＵＥ１００が、アクセスクラス情報を受信するステップと、ＵＥ１００が、当該ＵＥ１００に設定された１又は複数のアクセスクラスのいずれかが特定のアクセスクラスである場合に、当該ＵＥ１００が所定時間内にｅＮＢ２００へのアクセスを行うことが許可されると判断するステップとをさらに備える。これにより、アクセス規制が開始される前の所定時間内にアクセスを行うＵＥ１００の数を抑制し、輻輳が発生する可能性を低減することができる。例えば、ｅＭＴＣ  ＵＥ及び／又はＮＢ−ＩｏＴ  ＵＥに対応するアクセスクラスをｅＮＢ２００が指定してアクセスを許可するといった運用も可能である。なお、かかる方法は、「所定時間内」に限定せずに適用可能である。すなわち、上述した予告通知を前提とせずに、ＵＥ１００に１又は複数のアクセスクラスを設定するステップと、ｅＮＢ２００が、ｅＮＢ２００へのアクセスを許可する特定のアクセスクラスを示すアクセスクラス情報をブロードキャストするステップと、ＵＥ１００が、アクセスクラス情報を受信するステップと、ＵＥ１００が、当該ＵＥ１００に設定された１又は複数のアクセスクラスのいずれかが特定のアクセスクラスである場合に、当該ＵＥ１００がｅＮＢ２００へのアクセスを行うことが許可されると判断するステップとを、単独で実施してもよい。
【０１６１】
第３実施形態において、アクセスクラスには、優先順位が対応付けられていてもよい。ＵＥ１００は、ｅＮＢ２００から受信したアクセスクラス情報（特定のアクセスクラス）に対応する優先順位と、ＵＥ１００に設定されたアクセスクラスに対応する優先順位とを比較する。ＵＥ１００は、ＵＥ１００に設定されたアクセスクラスに対応する優先順位が、ｅＮＢ２００から受信したアクセスクラス情報に対応する優先順位以上である場合に、所定時間内にｅＮＢ２００へのアクセスを行うことが許可されると判断してもよい。例えば、アクセスクラスの優先順位が“１”から“４”まで規定されており、ＵＥ１００には優先順位“２”が設定され、ｅＮＢ２００が優先順位“３”をブロードキャストしている場合、ＵＥ１００は、優先順位“２”の方が優先順位“３”よりも高いので、アクセスを行うことが許可されると判断する。  第３実施形態に係るｅＮＢ２００は、ＵＥ１００からｅＮＢ２００へのアクセスを規制するアクセス規制を開始する前に、所定時間後にアクセス規制を開始することを示す予告通知をブロードキャストする送信部と、予告通知をブロードキャストしてから所定時間が経過した後にアクセス規制を開始する制御部とを備える。
【０１６２】
第３実施形態に係るＵＥ１００は、ＵＥ１００からｅＮＢ２００へのアクセスを規制するアクセス規制が所定時間後に開始されることを示す予告通知をｅＮＢ２００から受信する受信部と、予告通知に基づいて、所定時間内にｅＮＢ２００へのアクセスを行うべきか否かを判断する制御部とを備える。
【０１６３】
（第３実施形態に係る動作の一例）
第３実施形態に係る動作の一例について説明する。図１５は、第３実施形態に係る動作の一例を示す図である。ＵＥ１００には、複数のアクセスクラスが設定される。ＵＥ１００には、ＵＥ１００の製造段階で複数のアクセスクラスが事前設定されてもよい。複数のアクセスクラスが記憶された不揮発性記憶媒体（例えば、ＵＩＣＣ：ｕｎｉｖｅｒｓａｌ  ｉｎｔｅｇｒａｔｅｄ−ｃｉｒｃｕｉｔ  ｃａｒｄ）をＵＥ１００に装着することによってＵＥ１００に複数のアクセスクラスが設定されてもよい。ネットワーク（ｅＮＢ２００又はＭＭＥ３００等）がシグナリングによってＵＥ１００に複数のアクセスクラスを設定してもよい。当該アクセスクラスは、特殊用途向けのアクセスに適用するものであってもよい。特殊用途とは、例えば無人航空機などである。ＵＥ１００が当該アクセスクラスを適用するか否かは、特殊用途向けの契約に基づいてもよく、特殊用途通信の能力を有するか否かに基づいてもよく、特殊用途の通信を行おうとしているか否かに基づいてもよく、特殊用途の状態（例えば飛行中）において通信を行おうとしているか否かに基づいてもよい。
【０１６４】
図１５に示すように、ステップＳ２０１において、ｅＮＢ２００は、例えば現時点のｅＮＢ２００の負荷が高いこと又は近い将来にｅＮＢ２００の負荷が高くなると予想したことに応じて、アクセス規制を行うことを決定する。ｅＮＢ２００は、アクセス規制が開始される前の所定時間内においてアクセスを許容するアクセスクラスを決定してもよい。
【０１６５】
ステップＳ２０２において、ｅＮＢ２００は、アクセス規制を行うことを決定したことに応じて、所定時間後にアクセス規制を開始することを示す予告通知をブロードキャストする。予告通知は、所定時間の時間長（例えば、１００秒）を示す時間情報を含んでもよい。或いは、所定時間に対応するタイマ値がＬＴＥシステムの仕様において規定され、ＵＥ１００に当該タイマ値が事前設定されていてもよい。ｅＮＢ２００は、さらに、所定時間内にｅＮＢ２００へのアクセスを許可する特定のアクセスクラスを示すアクセスクラス情報をブロードキャストしてもよい。特定のアクセスクラスは、ｅＮＢ２００によって許可された１又は複数のアクセスクラスである。予告通知及びアクセスクラス情報は、同じＳＩＢに含まれてもよいし、互いに異なるＳＩＢに含まれてもよい。
【０１６６】
ステップＳ２０３において、ＵＥ１００は、ｅＮＢ２００からアクセスクラス情報を受信し、当該ＵＥ１００に設定された１又は複数のアクセスクラスのいずれかが特定のアクセスクラスである場合に、ＵＥ１００が所定時間内にｅＮＢ２００へのアクセスを行うことが許可されると判断する。一方で、ＵＥ１００に設定された１又は複数のアクセスクラスのいずれも特定のアクセスクラスではない場合、ＵＥ１００は、ＵＥ１００が所定時間内にｅＮＢ２００へのアクセスを行うことが許可されていないと判断する。
【０１６７】
所定時間内にｅＮＢ２００へのアクセスを行うことが許可されている場合、ステップＳ２０４において、ＵＥ１００は、ｅＮＢ２００から受信した予告通知に基づいて、所定時間内にｅＮＢ２００へのアクセスを行うべきか否かを判断する。判断基準としては、以下の１）〜３）の基準のうちいずれか１つ又は２以上の基準の組み合わせを用いることができる。
【０１６８】
１）ＵＥ１００が送信データを生成できるか否か。例えば、ＵＥ１００は、アプリケーション側を制御して、データを少し前倒しで生成することによって今すぐにアクセスできるか否かを判断する。
【０１６９】
２）送信データの許容レイテンシ。例えば、ＵＥ１００は、送信データに許容されるレイテンシが小さい、例えば、即時性の高いアプリケーションに対応する送信データを生成する場合、今すぐにアクセスを行うべきと判断する。
【０１７０】
３）事前に設定された、加入者情報に基づく許可情報がＵＥ１００に存在するか否か。許可情報には、上述したアクセスクラスが含まれてもよい。
【０１７１】
所定時間内にｅＮＢ２００へのアクセスを行うべきとＵＥ１００が判断した場合、処理がステップＳ２０５に進む。なお、ステップＳ２０３及びステップＳ２０４の順番は逆であってもよい。
【０１７２】
ステップＳ２０５において、ＵＥ１００は、ｅＮＢ２００へのアクセスを行う。例えば、ＵＥ１００は、ネットワークへのアタッチプロシージャを行う。アタッチプロシージャは、ランダムアクセスプロシージャを伴ってもよい。
【０１７３】
ステップＳ２０６において、ＵＥ１００は、ｅＮＢ２００に対してデータを送信する。ＵＥ１００は、ｅＮＢ２００からデータを受信してもよい。データの送受信が完了すると、ＵＥ１００は、ネットワークからデタッチ（及びＲＲＣ接続を解放）してもよい。
【０１７４】
ステップＳ２０７において、ｅＮＢ２００は、予告通知をブロードキャストしてから所定時間が経過した際にアクセス規制を開始する。アクセス規制を開始すると、ｅＮＢ２００は、全てのＵＥ１００のアクセスを拒否する。或いは、ｅＮＢ２００は、一部のアクセスクラスのＵＥ１００についてのみアクセスを拒否してもよいし、アクセスを禁止するアクセスクラスを指定する情報をブロードキャストしてもよい。
【０１７５】
［その他の実施形態］
上述した実施形態において、移動通信システムとしてＬＴＥシステムを例示した。しかしながら、本発明はＬＴＥシステムに限定されない。ＬＴＥシステム以外の移動通信システム（例えば、第５世代移動通信システム）に、上述した実施形態に係る動作を適用してもよい。
【０１７６】
ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。ＵＥ１００及びｅＮＢ２００が行う各処理を実行するためのプログラムを記憶するメモリ及びメモリに記憶されたプログラムを実行するプロセッサによって構成されるチップセットが提供されてもよい。
【０１７７】
なお、日本国特許出願第２０１７−２２３３６６号（２０１７年１１月２１日出願）の全内容が、参照により、本願に組み込まれている。
【図１】
2019102964.tif 000007
【図２】
2019102964.tif 000008
【図３】
2019102964.tif 000009
【図４】
2019102964.tif 000010
【図５】
2019102964.tif 000011
【図６】
2019102964.tif 000012
【図７】
2019102964.tif 000013
【図８】
2019102964.tif 000014
【図９】
2019102964.tif 000015
【図１０】
2019102964.tif 000016
【図１１】
2019102964.tif 000017
【図１２】
2019102964.tif 000018
【図１３】
2019102964.tif 000019
【図１４】
2019102964.tif 000020
【図１５】
2019102964.tif 000021
【国際調査報告】
2019102964.tif 000022
2019102964.tif 000023
2019102964.tif 000024